(57)【要約】【課題】タッチドライバとディスプレイドライバとが最適に協働することのできるタッチ検出装置及びタッチ検出機能付き表示装置を提供する。【解決手段】一方向に延在するように並設された複数の駆動電極と、前記駆動電極の延在方向と直交する方向に延在するように並設された複数の検知電極と、前記複数の駆動電極に対して外部近接物体を検知するためのパルス波形を有するタッチ駆動信号（ＴＳＶＣＯＭ）を印加するドライバ（ＤＤＩ）と、前記ドライバ（ＤＤＩ）と信号を授受して、前記タッチ駆動信号（ＴＳＶＣＯＭ）を形成するための駆動同期信号（ＥＸＶＣＯＭ）を前記ドライバ（ＤＤＩ）に出力し、前記検知電極の検出信号をサンプリングすることにより外部近接物体を検知するタッチ検出部（ＴＰＩＣ）とを有し、前記駆動同期信号（ＥＸＶＣＯＭ）に含まれる少なくともパルス数、パルス幅のいずれかは、前記ドライバ（ＤＤＩ）から受信する前記信号に基づいて定められるタッチ検出装置である。【選択図】図６
2016004280.tif 000002
【特許請求の範囲】
【請求項１】
一方向に延在するように並設された複数の駆動電極と、
前記駆動電極の延在方向と直交する方向に延在し、その交差部分に静電容量を形成するように配置された検知電極と、
前記複数の駆動電極から選択された駆動対象電極に対して外部近接物体を検知するためのパルス波形を有するタッチ駆動信号（ＴＳＶＣＯＭ）を印加することによりタッチ走査駆動を行うドライバ（ＤＤＩ）と、
前記ドライバ（ＤＤＩ）と信号を授受して、前記タッチ駆動信号（ＴＳＶＣＯＭ）を形成するための駆動同期信号（ＥＸＶＣＯＭ）を前記ドライバ（ＤＤＩ）に出力し、前記検知電極の検出信号を前記タッチ駆動信号（ＴＳＶＣＯＭ）のパルス波形に対応したタイミングでサンプリングすることにより外部近接物体を検知するタッチ検出部（ＴＰＩＣ）とを有し、
前記駆動同期信号（ＥＸＶＣＯＭ）に含まれる少なくともパルス数、パルス幅のいずれかは、前記ドライバ（ＤＤＩ）から受信する前記信号に基づいて定められるタッチ検出装置。
【請求項２】
前記タッチ検出部（ＴＰＩＣ）は、前記駆動同期信号（ＥＸＶＣＯＭ）に含まれる少なくともパルス数、パルス幅のいずれかを、前記ドライバ（ＤＤＩ）から受信する前記信号に基づいて定める、請求項１に記載のタッチ検出装置。
【請求項３】
前記タッチ検出部（ＴＰＩＣ）は、前記ドライバ（ＤＤＩ）から受信する前記信号に基づいて第１の時間を計測し、前記第１の時間と定数とを演算して前記駆動同期信号（ＥＸＶＣＯＭ）を出力できる最長の時間を求め、この最長の時間内に含めることのできる最大数の前記パルス波形を前記パルス数とする、請求項２に記載のタッチ検出装置。
【請求項４】
請求項１乃至３の内のいずれか１項に記載のタッチ検出装置と、
映像信号及び表示駆動信号に基づいて表示を行う表示画素と、を有し、
前記ドライバ（ＤＤＩ）は、前記複数の駆動電極に対して前記表示駆動信号を順次印加する表示走査駆動と前記タッチ走査駆動とを時分割的に交互に繰り返して実行する、タッチ検出機能付き表示装置。
【請求項５】
前記ドライバ（ＤＤＩ）は、前記表示走査駆動において時分割的に表示駆動信号を印加する駆動電極と同一の駆動電極に、前記タッチ走査駆動において時分割的に前記タッチ駆動信号（ＴＳＶＣＯＭ）を印加する、請求項４に記載のタッチ検出機能付き表示装置。
【請求項６】
前記タッチ検出部（ＴＰＩＣ）は、少なくとも１フレーム毎に前記駆動同期信号（ＥＸＶＣＯＭ）に含まれる少なくともパルス数、パルス幅のいずれかを前記ドライバ（ＤＤＩ）から受信する前記信号に基づいて定める、請求項４または５に記載のタッチ検出機能付き表示装置。
【発明の詳細な説明】
【技術分野】
【０００１】
本発明の実施形態は、タッチ検出装置及びタッチ検出機能付き表示装置に関する。
【背景技術】
【０００２】
近年、いわゆるタッチパネルと呼ばれるタッチ検出装置を液晶表示装置などの表示装置上に装着し、あるいはタッチパネルと表示装置を一体化し、その表示装置に各種のボタン画像等を表示させることにより、通常の機械式ボタンの代わりとして情報入力を可能とした表示装置が注目されている。このようなタッチ検出機能を有する表示装置は、キーボード、マウス、キーパッドのような入力装置を必要としないため、コンピュータのほか、携帯電話のような携帯情報端末などでも、使用が拡大する傾向にある。
【０００３】
タッチパネルの方式としては、一方向に延伸する複数の電極を互いに交差するように配置した静電容量式のタッチパネルが知られている。このタッチパネルでは、各電極は、それぞれ制御回路と接続され、制御回路から励磁電流を供給することにより、外部近接物体を検出するようになされている。
【０００４】
タッチ検出機能付表示装置としては、表示装置の表示面上にタッチパネルを形成した、いわゆるオンセルタイプの表示装置の他に、表示装置にもともと備えられている表示用の共通電極を、一対のタッチセンサ用電極のうちの一方として兼用し、他方の電極（タッチ検知電極）をこの共通電極と交差するように配置した、いわゆるインセルタイプの表示装置が提案されている。
【０００５】
特許文献１には、タッチセンサ用駆動電極を所定の複数本ずつ時分割的に順次選択し、その選択された駆動電極に対してタッチ検出駆動信号を印加して、走査ピッチが選択された複数本の駆動対象電極の全幅よりも小さくなるように走査駆動を行うタッチ検出装置が開示されている。
【先行技術文献】
【特許文献】
【０００６】
【特許文献１】特開２０１２−４８２９５号公報
【発明の概要】
【発明が解決しようとする課題】
【０００７】
特許文献１に記載された駆動方法では表示とタッチとを画面の１フレーム期間内で時分割に行うために同期させる必要がある。そのため、上記タッチ検出装置では、タッチ動作を制御するタッチドライバ（ＴＰＩＣ）と表示動作を制御するディスプレイドライバ（ＤＤＩ）とが協働してタッチ駆動制御を実行するように構成されている。
【０００８】
ところで、タッチドライバ（ＴＰＩＣ）とディスプレイドライバ（ＤＤＩ）は、それぞれ自身に設けられた基準周波数発信器のクロックに同期して動作するように構成されている。即ち、タッチドライバ（ＴＰＩＣ）とディスプレイドライバ（ＤＤＩ）との動作は、クロックの原振が異なる。従って、タッチドライバ（ＴＰＩＣ）とディスプレイドライバ（ＤＤＩ）とにはクロックのずれを想定したワーストパターンでの設計が必要とされた。
【０００９】
本発明は、斯かる事情に鑑みてなされたものであって、タッチドライバ（ＴＰＩＣ）とディスプレイドライバ（ＤＤＩ）とが最適に協働することのできるタッチ検出装置及びタッチ検出機能付き表示装置を提供することを目的とする。
【課題を解決するための手段】
【００１０】
一実施形態に係るタッチ検出装置は、一方向に延在するように並設された複数の駆動電極と、前記駆動電極の延在方向と直交する方向に延在し、その交差部分に静電容量を形成するように配置された検知電極と、前記複数の駆動電極から選択された駆動対象電極に対して外部近接物体を検知するためのパルス波形を有するタッチ駆動信号（ＴＳＶＣＯＭ）を印加することによりタッチ走査駆動を行うドライバ（ＤＤＩ）と、前記ドライバ（ＤＤＩ）と信号を授受して、前記タッチ駆動信号（ＴＳＶＣＯＭ）を形成するための駆動同期信号（ＥＸＶＣＯＭ）を前記ドライバ（ＤＤＩ）に出力し、前記検知電極の検出信号を前記タッチ駆動信号（ＴＳＶＣＯＭ）のパルス波形に対応したタイミングでサンプリングすることにより外部近接物体を検知するタッチ検出部（ＴＰＩＣ）とを有し、前記駆動同期信号（ＥＸＶＣＯＭ）に含まれる少なくともパルス数、パルス幅のいずれかは、前記ドライバ（ＤＤＩ）から受信する前記信号に基づいて定められる。
【図面の簡単な説明】
【００１１】
【図１】第１の実施の形態のタッチ検出機能付き表示装置における表示装置の概略の構成を示す図である。
【図２】第１の実施の形態のタッチ検出機能付き表示装置の構造をより詳細に示す断面図である。
【図３】第１の実施の形態のタッチ検出機能付き表示装置のミューチャル検出方式の代表的な基本構成を示す図である。
【図４】第１の実施の形態のタッチ検出機能付き表示装置のセンサの概略の構成を示す図である。
【図５】第１の実施の形態のタッチ検出機能付き表示装置のミューチャル検出方式の駆動方法を説明するための図である。
【図６】第１の実施の形態のタッチ検出機能付き表示装置のミューチャル検出方式の駆動信号線の接続を説明するための図である。
【図７】第１の実施の形態のタッチ検出機能付き表示装置に先立って検討したワーストパターンでのパルス数設計を説明するための図である。
【図８】第１の実施の形態のタッチ検出機能付き表示装置におけるタッチ位置検出期間内における駆動同期信号のパルス数を増加する方法を説明するための図である。
【図９】第１の実施の形態のタッチ検出機能付き表示装置のタッチドライバの構成を示す図である。
【図１０】第１の実施の形態のタッチ検出機能付き表示装置のタッチドライバにおける駆動同期信号のパルス数を動的に変更する制御手順を示すフロー図である。
【図１１】第１の実施の形態のタッチ検出機能付き表示装置のタッチドライバにおける駆動同期信号のパルス数を新たに算出する手順を説明するための図である。
【発明を実施するための形態】
【００１２】
以下に、本発明の各実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
[第１の実施の形態]  
図１は、第１の実施の形態のタッチ検出機能付き表示装置ＤＳＰにおける表示装置の概略の構成を示す図である。なお、本実施の形態において、表示装置は液晶表示装置である。また、本願の「タッチ検出」は、指などがタッチパネルに接触したことを検知する意味の他、指などがタッチパネルに近接したことを検知する意味も含む用語として用いられる。
【００１４】
表示装置は、表示パネルＰＮＬと、表示パネルＰＮＬを背面側から照明するバックライトＢＬＴと、を備えている。そして表示パネルＰＮＬには、マトリクス状に配置された表示画素ＰＸを含む表示部が設けられている。
【００１５】
図１に示すように、表示部においては、複数の表示画素ＰＸが配列する行に沿って延びる走査線Ｇ（Ｇ１、Ｇ２…）と、複数の表示画素ＰＸが配列する列に沿って延びる信号線Ｓ（Ｓ１、Ｓ２…）と、走査線Ｇと信号線Ｓが交差する位置近傍に配置された画素スイッチＳＷとが備えられている。
【００１６】
画素スイッチＳＷは薄膜トランジスタ（ＴＦＴ：Ｔｈｉｎ  Ｆｉｌｍ  Ｔｒａｎｓｉｓｔｏｒ）を備えている。画素スイッチＳＷのゲート電極は対応する走査線Ｇと電気的に接続されている。画素スイッチＳＷのソース電極は対応する信号線Ｓと電気的に接続されている。画素スイッチＳＷのドレイン電極は対応する画素電極ＰＥと電気的に接続されている。
【００１７】
また、複数の表示画素ＰＸを駆動する駆動手段として、ゲートドライバＧＤ（左側ＧＤ−Ｌおよび右側ＧＤ−Ｒ）とソースドライバＳＤとが設けられている。複数の走査線ＧはゲートドライバＧＤの出力端子と電気的に接続されている。複数の信号線ＳはソースドライバＳＤの出力端子と電気的に接続されている。
【００１８】
ゲートドライバＧＤとソースドライバＳＤとは、表示部の周囲の領域（額縁）に配置されている。ゲートドライバＧＤは複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷの、ソース電極−ドレイン電極間が導通する。ソースドライバＳＤは、複数の信号線Ｓのそれぞれに対応する出力信号を供給する。信号線Ｓに供給された信号は、ソース電極−ドレイン電極間が導通した画素スイッチＳＷを介して対応する画素電極ＰＥに印加される。
【００１９】
ゲートドライバＧＤとソースドライバＳＤとは、表示パネルＰＮＬの外部に配置された制御回路ＣＴＲにより動作を制御される。また制御回路ＣＴＲは、後述する共通電極ＣＯＭＥに共通電圧Ｖｃｏｍを供給している。さらに制御回路ＣＴＲは、バックライトＢＬＴの動作を制御する。
【００２０】
図２は、第１の実施の形態のタッチ検出機能付き表示装置ＤＳＰの構造をより詳細に示す断面図である。
【００２１】
タッチ検出機能付き表示装置ＤＳＰは、表示パネルＰＮＬ、バックライトＢＬ、第１光学素子ＯＤ１及び第２光学素子ＯＤ２を備えている。図示した例では、表示パネルＰＮＬは、液晶表示パネルであるが、有機エレクトロルミネッセンス表示パネルなどの他のフラットパネルであっても良い。また、図示した表示パネルＰＮＬは、表示モードとしてＦＦＳ（Ｆｒｉｎｇｅ  Ｆｉｅｌｄ  Ｓｗｉｔｃｈｉｎｇ）モードに対応した構成を有しているが、他の表示モードに対応した構成を有していても良い。
【００２２】
表示パネルＰＮＬは、第１基板ＳＵＢ１、第２基板ＳＵＢ２、及び、液晶層ＬＱを備えている。第１基板ＳＵＢ１と第２基板ＳＵＢ２とは所定のセルギャップを形成した状態で貼り合わされている。液晶層ＬＱは、第１基板ＳＵＢ１と第２基板ＳＵＢ２との間のセルギャップに保持されている。
【００２３】
第１基板ＳＵＢ１は、ガラス基板や樹脂基板などの光透過性を有する第１絶縁基板１０を用いて形成されている。第１基板ＳＵＢ１は、第１絶縁基板１０の第２基板ＳＵＢ２に対向する側に、ソース線Ｓ、共通電極ＣＯＭＥ、画素電極ＰＥ、第１絶縁膜１１、第２絶縁膜１２、第３絶縁膜１３、第１配向膜ＡＬ１などを備えている。  
ここで、画素電極ＰＥ及び共通電極ＣＯＭＥは、これら電極間に配置される液晶層の画素領域とともに表示画素を構成し、表示画素は表示パネルＰＮＬにマトリクス状に配置されている。
【００２４】
第１絶縁膜１１は、第１絶縁基板１０の上に配置されている。なお、詳述しないが、第１絶縁基板１０と第１絶縁膜１１との間には、ゲート線Ｇ、スイッチング素子のゲート電極や半導体層などが配置されている。ソース線Ｓは、第１絶縁膜１１の上に形成されている。また、スイッチング素子のソース電極やドレイン電極なども第１絶縁膜１１の上に形成されている。図示した例では、ソース線Ｓは、共通電極ＣＯＭＥと平行して第２方向Ｙに延出している。
【００２５】
第２絶縁膜１２は、ソース線Ｓ及び第１絶縁膜１１の上に配置されている。共通電極ＣＯＭＥは、第２絶縁膜１２の上に形成されている。図示した例では、共通電極ＣＯＭＥは、複数のセグメントによって構成されている。共通電極ＣＯＭＥの各セグメントは、それぞれ第２方向Ｙに延出し、間隔をおいて第１方向Ｘに並んでいる。このような共通電極ＣＯＭＥは、インジウム・ティン・オキサイド（ＩＴＯ）やインジウム・ジンク・オキサイド（ＩＺＯ）などの透明な導電材料によって形成されている。なお、図示した例では、共通電極ＣＯＭＥの上に金属層ＭＬが形成され、共通電極ＣＯＭＥを低抵抗化しているが、金属層ＭＬは省略しても良い。
【００２６】
第３絶縁膜１３は、共通電極ＣＯＭＥ及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＯＭＥと対向している。また、各画素電極ＰＥは、共通電極ＣＯＭＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００２７】
一方、第２基板ＳＵＢ２は、ガラス基板や樹脂基板などの光透過性を有する第２絶縁基板１５を用いて形成されている。第２基板ＳＵＢ２は、第２絶縁基板１５の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備えている。
【００２８】
ブラックマトリクスＢＭは、第２絶縁基板１５の内面に形成され、各画素を区画している。カラーフィルタＣＦＲ、ＣＦＧ、ＣＦＢは、それぞれ第２絶縁基板１５の内面に形成され、それらの一部がブラックマトリクスＢＭに重なっている。カラーフィルタＣＦＲは赤色カラーフィルタであり、カラーフィルタＣＦＧは緑色カラーフィルタであり、カラーフィルタＣＦＢは青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
【００２９】
検知電極Ｒｘは、第２絶縁基板１５の外面に形成されている。この検知電極Ｒｘは、島状に形成されているが、ここでは、簡略化して図示しており、リード線の図示を省略している。検知電極Ｒｘの詳細な構造については後述する。このような検知電極Ｒｘは、例えば、ＩＴＯやＩＺＯなどの透明な導電材料によって形成されている。
【００３０】
バックライトＢＬは、表示パネルＰＮＬの背面側に配置されている。バックライトＢＬとしては、種々の形態が適用可能であり、光源として発光ダイオード（ＬＥＤ）を利用したものや冷陰極管（ＣＣＦＬ）を利用したものなどのいずれでも適用可能であるが、詳細な構造については説明を省略する。
【００３１】
第１光学素子ＯＤ１は、第１絶縁基板１０とバックライトＢＬとの間に配置されている。第２光学素子ＯＤ２は、検知電極ＤＥＴＥの上に配置されている。第１光学素子ＯＤ１及び第２光学素子ＯＤ２は、それぞれ少なくとも偏光板を含んでおり、必要に応じて位相差板を含んでいても良い。
【００３２】
続いて、第１の実施の形態のタッチ検出機能付き表示装置ＤＳＰに用いられるタッチセンサについて説明する。タッチパネルに対して利用者の指或いはペンが触れていること、或いは近接していることを検出する方式として、ミューチャル(Mutual)検出方式の原理を説明する。
【００３３】
図３は、第１の実施の形態のタッチ検出機能付き表示装置ＤＳＰのミューチャル検出方式の代表的な基本構成を示す図である。共通電極ＣＯＭＥと検知電極ＤＥＴＥとが利用される。共通電極ＣＯＭＥは、複数のストライプ状共通電極Ｃｏｍｅ１，Ｃｏｍｅ２，Ｃｏｍｅ３・・・・を含む。この複数のストライプ状共通電極Ｃｏｍｅ１，Ｃｏｍｅ２，Ｃｏｍｅ３・・・・が走査（駆動）方向（Ｙ方向またはＸ方向）に配列されている。
【００３４】
一方、検知電極ＤＥＴＥは、複数のストライプ状検知電極Ｄｅｔｅ１，Ｄｅｔｅ２，Ｄｅｔｅ３，・・・・（ストライプ状共通電極よりも細い）を含む。この複数のストライプ状検知電極Ｄｅｔｅ１，Ｄｅｔｅ２，Ｄｅｔｅ３，・・・・は、ストライプ状共通電極Ｃｏｍｅ１，Ｃｏｍｅ２，Ｃｏｍｅ３・・・・と直交する方向（Ｘ方向またはＹ方向）に配列されている。
【００３５】
共通電極ＣＯＭＥと検知電極ＤＥＴＥは、間隔を置いて配置される。このために、複数のストライプ状共通電極Ｃｏｍｅ１，Ｃｏｍｅ２，Ｃｏｍｅ３・・・・と、複数のストライプ状検知電極Ｄｅｔｅ１，Ｄｅｔｅ２，Ｄｅｔｅ３，・・・・との間には、基本的に容量Ｃｃが存在する。
【００３６】
複数のストライプ状共通電極Ｃｏｍｅ１，Ｃｏｍｅ２，Ｃｏｍｅ３・・・・は所定の周期で駆動パルスＴＳＶＣＯＭにより走査される。今、ユーザの指がストライプ状検知電極Ｄｅｔｅ２に近接して存在するものとする。すると、ストライプ状共通電極Ｃｏｍｅ２に駆動パルスＴＳＶＣＯＭが供給されたときに、ストライプ状検知電極Ｄｅｔｅ２からは、他のストライプ状検知電極から得られるパルスよりもレベルの低いパルスが得られる。これは、指により容量Ｃｘが生じ、これが容量Ｃｃに加えられるからである。ミューチャル検出では、この検出レベルの低いパルスを、ポジションＤＥＴＰの検出パルスとして取り扱うことができる。
【００３７】
上記の容量Ｃｘは、ユーザの指が検知電極ＤＥＴＥに近い場合と、遠い場合とで異なる。このために検出パルスのレベルもユーザの指が検知電極ＤＥＴＥに近い場合と、遠い場合とで異なる。よって、タッチパネルの平面に対する指の近接度を検出パルスのレベルで判断することができる。勿論、駆動パルスＴＳＶＣＯＭによる電極駆動タイミングと、検出パルスの出力タイミングにより、タッチパネルの平面上の指の２次元上の位置を検出することができる。
【００３８】
図４は、第１の実施の形態のタッチ検出機能付き表示装置ＤＳＰのセンサの概略の構成を示す図である。図４（１）はタッチ検出機能付き表示装置ＤＳＰの断面図を示し、図４（２）はセンサの構成を示す平面図を示している。
図４（１）に示すように、タッチ検出機能付き表示装置ＤＳＰは、アレイ基板ＡＲと、対向基板ＣＴと、アレイ基板ＡＲと対向基板ＣＴとの間に保持された液晶層ＬＱと、を備えている。
【００３９】
アレイ基板ＡＲは、ＴＦＴ基板１０と、共通電極ＣＯＭＥと、を備えている。ＴＦＴ基板１０は、ガラス等の透明絶縁基板と、図示しないスイッチング素子と、ソース配線やゲート配線等の各種配線と、これらを覆う絶縁膜である平坦化層と、を備えている。共通電極ＣＯＭＥは、ＴＦＴ基板１０上に配置され絶縁層に覆われている。共通電極ＣＯＭＥは、例えば、第１方向に延びるとともに第１方向に直交する第２方向に複数並んだストライプ状に配置されている。共通電極ＣＯＭＥは、例えばＩＴＯ（Ｉｎｄｉｕｍ  Ｔｉｎ  Ｏｘｉｄｅ）やＩＺＯ（Ｉｎｄｉｕｍ  ｚｉｎｃ  ｏｘｉｄｅ）等の透明電極材料によって形成されている。本実施形態では、共通電極ＣＯＭＥは、センサ用駆動電極としても用いられる。
【００４０】
対向基板ＣＴは、ガラス等の透明絶縁基板１５と、カラーフィルタＣＦと、検知電極ＤＥＴＥと、偏光板ＰＬと、を備えている。カラーフィルタＣＦは、透明絶縁基板１５上に配置されている。カラーフィルタＣＦは、オーバーコート層ＯＣに覆われている。検知電極ＤＥＴＥは、透明絶縁基板１５の外側（カラーフィルタＣＦと反対側）の主面に配置されている。検知電極ＤＥＴＥは、共通電極ＣＯＭＥが延びた方向（第１方向）と略直交する方向（第２方向）に延びるとともに、第１方向に複数並んだストライプ状に配置されている。検知電極ＤＥＴＥは、例えばＩＴＯやＩＺＯ等の透明電極材料によって形成されている。偏光板ＰＬは、検知電極ＤＥＴＥ上（透明絶縁基板１５のカラーフィルタＣＦと反対側）に配置されている。
【００４１】
図４（２）は、上述の共通電極ＣＯＭＥと検知電極ＤＥＴＥとの一構成例を説明するための図である。第１の実施の形態のタッチ検出機能付き表示装置ＤＳＰでは、タッチドライバＴＰＩＣとディスプレイドライバＤＤＩとが協働することにより、共通電極ＣＯＭＥには駆動パルスＴＳＶＣＯＭが入力され、検知電極ＤＥＴＥから検出パルスが得られる。ディスプレイドライバＤＤＩは駆動パルスＴＳＶＣＯＭを出力し、タッチドライバＴＰＩＣは、駆動パルスＴＳＶＣＯＭを入力した共通電極ＣＯＭＥの位置と、検出パルスの波形とから指の接触位置を把握する。ここで、タッチ位置の算出は、不図示の外部装置が行うように構成することができる。なお、ディスプレイドライバＤＤＩから出力される信号の詳細、及びディスプレイドライバＤＤＩとタッチドライバＴＰＩＣとの授受信号の詳細については後述する。
【００４２】
図５は、第１の実施の形態のタッチ検出機能付き表示装置ＤＳＰのミューチャル検出方式の駆動方法を説明するための図である。
【００４３】
図５（１）には、共通電極ＣＯＭＥの駆動単位Ｔｘを示している。駆動単位Ｔｘ１、・・・ＴｘＮはそれぞれ連続する複数のストライプ状共通電極Ｃｏｍｅで構成されている。上述のように、映像表示に使用される共通電極ＣＯＭＥがタッチ位置検知用の駆動電極としても共用されているため、映像表示動作とタッチ位置検知動作とをタイムシェアリングにより駆動する。
【００４４】
図５（２）に示す駆動方式では、１フレーム期間を複数のユニットで構成する。１ユニット内は、映像を表示する期間とタッチ位置を検出する期間とに分割される。分割された映像表示期間と分割されたタッチ位置検出期間とが交互に繰り返されて１フレーム期間が構成される。即ち、ＲＧＢの３色を選択する信号（ＳＥＬＲ／Ｇ／Ｂ）に対応して色毎の映像信号（ＳＩＧｎ）を出力する動作を複数の表示行について実行した後、駆動単位Ｔｘ（複数のストライプ状共通電極Ｃｏｍｅ）に駆動パルスＴＳＶＣＯＭを入力するミューチャル検出動作を実行する。そして、分割された複数の表示行と複数の駆動単位Ｔｘ（Ｔｘ１、・・・、ＴｘＮ）について上述の動作を順次繰り返して実行する。なお、複数の表示行と複数の駆動単位Ｔｘの行は、同一になるように表示とタッチ駆動とを同期して制御しても良く、表示とタッチ駆動とをそれぞれ独立して制御するように構成しても良い。
【００４５】
図６は、第１の実施の形態のタッチ検出機能付き表示装置ＤＳＰのミューチャル検出方式の駆動信号線の接続を説明するための図である。図６は、タッチドライバ（ＴＰＩＣ）とディスプレイドライバ（ＤＤＩ）の２つのＩＣチップで構成される、２チップシステムを示している。このシステムでは、タッチドライバＴＰＩＣとディスプレイドライバＤＤＩとが協働して表示動作とタッチ駆動動作とを実行する。
【００４６】
ＴＦＴ基板１０には、ディスプレイドライバＤＤＩが設けられている。またＴＦＴ基板１０には、シフトレジスタＳＲを含むタッチ駆動回路２０が設けられている。ディスプレイドライバＤＤＩから出力される駆動信号は、タッチ駆動回路２０を介して共通電極ＣＯＭＥに駆動パルスＴＳＶＣＯＭを供給する。対向基板ＣＴには、検知電極ＤＥＴＥが設けられ、検知電極ＤＥＴＥからのセンサ検知線は、外部引出し用電極を介してタッチドライバＴＰＩＣに電気的に接続している。
【００４７】
そして、タッチドライバＴＰＩＣは、ＦＰＣ（Flexible Print Circuit）を介して外部の信号処理ＭＰＵと接続されている。なお、タッチドライバＴＰＩＣと信号処理ＭＰＵとの間は、Ｉ２Ｃ（Inter-Integrated Circuit）、ＳＰＩ（Serial Peripheral Interface）などの通信方式により情報の授受が行われる。また、タッチドライバＴＰＩＣには、外部より電源（VDD, Vbus）が供給される。
【００４８】
次に、タッチドライバＴＰＩＣとディスプレイドライバＤＤＩとの間の授受信号について説明する。  
【００４９】
ディスプレイドライバＤＤＩは、タッチドライバＴＰＩＣに同期をとるための信号を出力する。同期のための信号には垂直同期信号ＴＳＶＤ、及び水平同期信号ＴＳＨＤが含まれる。垂直同期信号ＴＳＶＤはフレームの開始を表す同期信号である。水平同期信号ＴＳＨＤはフレーム中の１ライン毎の動作に対応する同期信号である。タッチドライバＴＰＩＣは、水平同期信号ＴＳＨＤに同期して、タッチ検出のためのサンプリングタイミングに正確に同期した駆動同期信号ＥＸＶＣＯＭをディスプレイドライバＤＤＩに出力する。ディスプレイドライバＤＤＩは、駆動同期信号ＥＸＶＣＯＭをレベルシフト及びインピーダンス変換した駆動パルスＴＳＶＣＯＭをタッチ駆動回路２０に出力する。
【００５０】
タッチ駆動回路２０は、シフトレジスタ回路２１、選択回路２２、切替回路２３を備えている。ここで、タッチ駆動回路２０の構成と動作を、一つのシフトレジスタ２１ａとそれに接続する回路を例として説明する。
【００５１】
シフトレジスタ２１ａには、転送回路制御信号として転送スタートパルスＳＤＳＴ、転送クロックＳＤＣＫ１、２が入力される。転送スタートパルスＳＤＳＴは、転送クロックＳＤＣＫ１、２により順次送られて、各段のシフトレジスタから出力される。なお、このシフトレジスタでは２つの転送クロックＳＤＣＫ１、２を用いているが、１つの転送クロックを用いてスタートパルスを転送する方式のシフトレジスタを用いても良い。
【００５２】
シフトレジスタ２１ａの出力端子は、選択回路２２を構成するＡＮＤ回路２２ａの１つの入力端子に接続している。ＡＮＤ回路２２ａの他の入力端子には、駆動同期選択信号ＥＸＶＣＯＭＳＥＬが入力される。駆動同期選択信号ＥＸＶＣＯＭＳＥＬは、タッチ位置検出期間において「１」となり、映像表示期間においては「０」となる信号である。そのため、タッチ位置検出期間であってシフトレジスタ２１ａの出力が「１」となる期間、ＡＮＤ回路２２ａの出力は「１」となり、切替回路２３に設けられたタッチスイッチ２３ａが接続状態（オン状態）に切り替わる。一方、映像表示期間では、ＡＮＤ回路２２ａの出力は「０」となる。このＡＮＤ回路２２ａの出力は選択回路２２を構成するインバータ２２ｂによって「１」となり、切替回路２３に設けられた表示スイッチ２３ｂが接続状態（オン状態）に切り替わる。
【００５３】
従って、タッチ位置検出期間では、対応するシフトレジスタ２１ａの出力が「１」となる期間に共通電極ＣＯＭＥにはタッチスイッチ２３ａを介して駆動パルスＴＳＶＣＯＭが入力される。一方、対応するシフトレジスタ２１ａの出力が「０」となる期間では共通電極ＣＯＭＥにはタッチスイッチ２３ａを介して直流信号ＶＣＯＭＤＣが入力される。映像表示期間では、表示スイッチ２３ｂを介して共通電極ＣＯＭＥには直流信号ＶＣＯＭＤＣが入力される。
【００５４】
ここで、タッチスイッチ２３ａのパネルＰＮＬ側の一端は、少なくとも一つのストライプ状共通電極Ｃｏｍｅと接続している。このストライプ状共通電極Ｃｏｍｅにパルス列である駆動パルスＴＳＶＣＯＭを入力することによってＳ／Ｎの良い検知信号を得ることができる。なお、タッチスイッチ２３ａのパネルＰＮＬ側の一端に接続するストライプ状共通電極の数は固定に限られず、後述するように可変に構成されても良い。また、タッチ位置検出期間は、１つのシフトレジスタの出力に接続されたストライプ状共通電極Ｃｏｍｅに限られず、複数のシフトレジスタの出力に接続された複数のストライプ状共通電極Ｃｏｍｅを対象としてタッチ動作を実行する期間でもある。
【００５５】
なお、タッチドライバＴＰＩＣには基準周波数発信器が独立して設けられている。また、ディルプレイドライバＤＤＩには専用の基準周波数発信器が独立して設けられている。従って、タッチの駆動周波数は、表示の駆動周波数と独立した任意の値に設定することができる。
【００５６】
また、タッチ駆動において外乱ノイズ除去のための周波数変更（Frequency shift）制御を実行することができる。例えば、タッチドライバＴＰＩＣが検知したタッチ信号のＳ／Ｎが低いときは、タッチドライバＴＰＩＣは、ディルプレイドライバＤＤＩに対してタッチ駆動信号の周波数を小さい値に変更するように要求信号（TSFRG）を出力する。ディスプレイドライバＤＤＩは、駆動信号の周波数を変更した後、タッチドライバＴＰＩＣに対して応答信号（TSFST）を返信する。これ以降、タッチドライバＴＰＩＣとディルプレイドライバＤＤＩとの間では、シフト（変更）された周波数によりタッチ駆動が制御される。
【００５７】
以上説明したように、タッチドライバＴＰＩＣとディスプレイドライバＤＤＩとが協働してタッチ駆動動作を実行する。なお、図６に示すディスプレイドライバＤＤＩ、タッチドライバＴＰＩＣ、タッチ駆動回路２０、共通電極ＣＯＭＥ及び検知電極ＤＥＴＥがタッチ検出装置を構成する。更に、タッチ検出装置と表示パネルＰＮＬとがタッチ検出機能付き表示装置を構成する。
【００５８】
なお、上述した説明ではタッチ駆動動作について記載したが、ディスプレイドライバＤＤＩは、内部に設けられたタイミングコントローラ（不図示）が出力する制御信号に従って、タッチ駆動動作のみでなく表示駆動動作も実行する。即ち、ディスプレイドライバＤＤＩは、表示素子に映像信号を出力し、また共通電極ＣＯＭＥに表示駆動のための信号を順次出力する。
【００５９】
続いて、タッチドライバＴＰＩＣとディスプレイドライバＤＤＩとが非同期で動作することから、必要となったワーストパターンによる設計例について説明する。
【００６０】
図７は、第１の実施の形態のタッチ検出機能付き表示装置ＤＳＰに先立って検討したワーストパターンでのパルス数設計を説明するための図である。図７では、タッチ位置検出期間中におけるパルス数を設計する方法を示している。
上述のように、ディスプレイドライバＤＤＩは、タッチドライバＴＰＩＣと同期をとるための信号として水平同期信号ＴＳＨＤを出力する。水平同期信号ＴＳＨＤはフレーム中の１ライン毎の動作に対応する同期信号である。タッチドライバＴＰＩＣは、水平同期信号ＴＳＨＤの立ち上がりに同期して、タッチ検出のためのサンプリングタイミングに正確に同期した駆動同期信号ＥＸＶＣＯＭを、所定のパルス数だけディスプレイドライバＤＤＩに出力する。
【００６１】
なお、図では説明の便宜のために、水平同期信号ＴＳＨＤがハイレベル状態にある継続時間が駆動同期信号ＥＸＶＣＯＭを出力することが認められた時間であるとしている。言い換えれば、水平同期信号ＴＳＨＤがハイレベル状態にある継続時間を超えて駆動同期信号ＥＸＶＣＯＭを出力することは許可されない。このＥＸＶＣＯＭが出力されることが認められた時間とは、一回のタッチ検出時間を意味する。ここで、水平同期信号ＴＳＨＤのハイレベル状態継続時間は、ディスプレイドライバＤＤＩのクロックによって計測された時間である。すなわちタッチドライバＴＰＩＣのクロックとは原振が異なる時間であり、双方のクロックには製造上のバラツキや温度差によるバラツキが生じる。従って、クロックのバラツキを考慮すると、安全のため、本来の継続時間よりも１〜１０％だけ短い時間に設定する。一方、駆動同期信号ＥＸＶＣＯＭの１パルス信号の周期は、タッチドライバＴＰＩＣのクロックによって計測された時間である。従って、クロックのバラツキを考慮すると、安全のため、本来の周期よりも１〜１０％だけ長い周期に設定する。
【００６２】
このように従来は、最悪の（ワースト）条件において出力可能な駆動同期信号ＥＸＶＣＯＭのパルス数を決定して、そのパルス数を出力するように設定していた。タッチ位置検出期間内における駆動同期信号ＥＸＶＣＯＭのパルス数が多いほどタッチ精度の向上を図ることができる。そのため、タッチ位置検出期間内における駆動同期信号ＥＸＶＣＯＭのパルス数を合理的に増加する方法が求められる。
【００６３】
図８は、第１の実施の形態のタッチ検出機能付き表示装置におけるタッチ位置検出期間内における駆動同期信号ＥＸＶＣＯＭのパルス数を増加する方法を説明するための図である。
【００６４】
タッチドライバＴＰＩＣは、水平同期信号ＴＳＨＤの受信に先立ち、ディスプレイドライバＤＤＩからＤＤＩのクロックに基づき生成される何らかの信号を基準信号として受信する。ここでは、フレームの開始を表す同期信号である垂直同期信号ＴＳＶＤを受信する。そして、垂直同期信号ＴＳＶＤのパルス幅（ハイレベル継続時間）をタッチドライバＴＰＩＣのクロックによって計測する。計測した時間をｔｓｖｄ＿ｃｎｔ＠ＴＰＩＣとする。ここで、ｔｓｖｄ＿ｃｎｔに続けて記載した文字＠ＴＰＩＣは、タッチドライバＴＰＩＣで把握した値であることを識別するための文字である。ところで、水平同期信号ＴＳＨＤのハイレベル状態継続時間は、垂直同期信号ＴＳＶＤのパルス幅（ハイレベル継続時間）のＲｖｈ倍である。ここでＲｖｈは設計値であり、定数である。垂直同期信号ＴＳＶＤおよび水平同期信号ＴＳＨＤはともにディスプレイドライバＤＤＩのクロックによって生成された信号であることから、Ｒｖｈは測定するクロックの種類によらない不変の値である。
【００６５】
従って、ディスプレイドライバＤＤＩとタッチドライバＴＰＩＣとで測定した垂直同期信号ＴＳＶＤのパルス幅（ｔｓｖｄ＿ｃｎｔ）と水平同期信号ＴＳＨＤのパルス幅（ｔｓｈｄ＿ｃｎｔ）については、式（１）、式（２）の関係が成立する。  
tshd_cnt@DDI／tsvd_cnt@DDI＝Rvh＝tshd_cnt@TPIC／tsvd_cnt@TPIC・・・式（１）  
tshd_cnt@TPIC＝Rvh×tsvd_cnt@TPIC・・・式（２）
【００６６】
ここで、駆動同期信号ＥＸＶＣＯＭの１パルス信号の周期は、Ｔｘ＿ｐｅｒｉｏｄ＠ＴＰＩＣである。従って、求めるパルス数ｐｕｌｓｅ＿ｎｕｍは、式（３）を満たす最大の値として求めることができる。この式（３）ではタッチドライバＴＰＩＣのみの測定値が使われている。そして、式（３）によって求めた値でパルス数を動的に変更することで最適な駆動同期信号ＥＸＶＣＯＭを生成することができる。  
Tx_period@TPIC×pulse_num＜Rvh×tsvd_cnt@TPIC・・・式（３）
すなわち、ディスプレイドライバＤＤＩのクロックに基づく任意の信号（ここではＴＳＶＤ）に含まれるパルス幅（時間）をタッチドライバＴＰＩＣのクロックで計測し、これと、定数Ｒｖｈ（ここでは、同一クロックで計測されるＴＳＨＤ／ＴＳＶＤの比）と、ＥＸＶＣＯＭの１パルス信号の周期とから、ＥＸＶＣＯＭに含めるパルス数を動的に算出していく。
【００６７】
このときＥＸＶＣＯＭの１パルス信号の周期（Ｔｘ＿ｐｅｒｉｏｄ）として設計値を用いて最大パルス数を定めることもできる。また、１パルス信号の周期（Ｔｘ＿ｐｅｒｉｏｄ）は設計値ではなく、現在使用している値（カレント値）を用いることもできる。そして、この１パルス信号の周期（Ｔｘ＿ｐｅｒｉｏｄ）を用いてＥＸＶＣＯＭに含まれるパルス数が最大となるようにパルス数を決定する。更に、決定したパルス数を用いて、式（３）を充足する（最大の）１パルス信号の周期（Ｔｘ＿ｐｅｒｉｏｄ）を決定することができる。なお、パルス数が従来の値と同じで変更されないときは、１パルス信号の周期（Ｔｘ＿ｐｅｒｉｏｄ）のみが変更される場合もある。このようにして、ＥＸＶＣＯＭの１パルス信号の周期とパルス数との両方を動的に定めてもよい。これによって最適な駆動同期信号ＥＸＶＣＯＭを得ることができる。
【００６８】
図９は、第１の実施の形態のタッチ検出機能付き表示装置ＤＳＰのタッチドライバＴＰＩＣの構成を示す図である。  
タッチドライバＴＰＩＣは、制御部４１及びメモリ４２を備えている。制御部４１は、タッチドライバＴＰＩＣの動作を統括して制御する。メモリ４２には、タッチドライバＴＰＩＣの動作を制御するための情報が記憶されている。制御部４１は、ディスプレイドライバＤＤＩとの間でタッチ駆動のための信号授受を行うと共に、検知電極ＤＥＴＥから検出パルスを取得して指の接触位置を把握する。そして信号処理ＭＰＵとの間で情報の授受を実行する。更に制御部４１は、上述の駆動同期信号ＥＸＶＣＯＭのパルス数を動的に変更する制御を実行する。なお、タッチドライバＴＰＩＣに設けられた基準周波数発信器は、制御部４１及びメモリ４２が駆動するための基準クロックを供給する。
【００６９】
図１０は、第１の実施の形態のタッチ検出機能付き表示装置ＤＳＰのタッチドライバＴＰＩＣにおける駆動同期信号ＥＸＶＣＯＭのパルス数を動的に変更する制御手順を示すフロー図である。
【００７０】
ステップＳ０１において、制御部４１は検知電極ＤＥＴＥから検出パルスを取得して指の接触位置を把握する。このステップＳ０１の動作と並行して、ステップＳ０２において、制御部４１はディスプレイドライバＤＤＩよりタッチ駆動用信号を取得する。ステップＳ０３において、制御部４１はパルス数の更新タイミングかどうかを調べる。例えば、１フレーム毎あるいは所定の複数フレーム毎にパルス数の更新を行っても良い。パルス数の更新タイミングでないとき（Ｓ０３でＮＯ）は、ステップＳ０７において制御部４１は前回に設定されたパルス数で駆動同期信号ＥＸＶＣＯＭを出力する。
【００７１】
パルス数の更新タイミングのとき（Ｓ０３でＹＥＳ）は、ステップＳ０４において制御部４１は、ディスプレイドライバＤＤＩより前回更新タイミングから今回の更新タイミングの間で取得したタッチ駆動用信号（外部信号）に基づいて、駆動同期信号を出力できる時間幅を求める。そして、ステップＳ０５において、新たなパルス数を算出する。
【００７２】
図１１は、第１の実施の形態のタッチ検出機能付き表示装置ＤＳＰのタッチドライバＴＰＩＣにおける駆動同期信号ＥＸＶＣＯＭのパルス数を新たに算出する手順を説明するための図である。図１１（１）は、フローチャートを示し、図１１（２）では、使用する変数の相互の関係を図を用いて表している。
【００７３】
図１１のステップＴ０１において、メインルーチンで求めた駆動同期信号を出力できる時間幅（tshd_wid）と設計で定められた時間幅（tx_wid_target）との差が所定のマージンＭ（tshd_margin）よりも小さいかどうかを調べる。所定のマージンＭ（tshd_margin）よりも小さいときは（Ｔ０１でＹＥＳ）、設計値と同じで良いため、ステップＴ０６において、設計値のパルス数を求めたパルス数としてメインルーチンにリターンする。
【００７４】
所定のマージンＭ（tshd_margin）よりも大きいときは（Ｔ０１でＹＥＳ）、パルス数を前回の値から変更する可能性があるため、ステップＴ０２において、求めた時間幅（tshd_wid）と現在採用している時間幅（current_tshd_wid）との差が、１パルス幅（pulse_wid）とマージンＭ（tshd_margin）との和よりも大きいかどうかを調べる。即ち、パルス数を増加させることが可能かどうかを調べる。パルス数を増加させることが可能のときは（Ｔ０２でＹＥＳ）、パルス数（pulse_num）を式（４）に従って求める。なお、式（４）のｄｅｌａｙは、余裕代を表す時間である。そしてメインルーチンにリターンする。  
pulse_num＝（tshd_wid−delay−tshd_margin）／pulse_wid・・・式（４）
【００７５】
パルス数を増加させることができないときは（Ｔ０２でＮＯ）、ステップＴ０３において、求めた時間幅（tshd_wid）と現在採用している時間幅（current_tshd_wid）との差が、最小マージンＭｍ（tshd_margin_min）よりも小さいかどうかを調べる。即ち、パルス数を減少させることが可能かどうかを調べる。パルス数を減少させることが可能のときは（Ｔ０３でＹＥＳ）、パルス数（pulse_num）を式（４）に従って求める。そしてメインルーチンにリターンする。パルス数を減少させることができないときは（Ｔ０３でＮＯ）、パルス数（pulse_num）を変更せずにメインルーチンにリターンする。
【００７６】
図１０のステップＳ０６において、制御部４１は、算出したパルス数（pulse_num）に設定パルス数を更新し、ステップＳ０７において、制御部４１は、駆動同期信号ＥＸＶＣＯＭとして設定パルス数だけパルス数を出力する。
なお、電源投入後の起動時、あるいはサスペンド状態などからのレジューム起動時（再起動時）においては、設計時に定まっているパルス数（最遅のＴＰＩＣクロック、最速のＤＤＩクロックでのパルス数）で駆動し、その後適宜のタイミングで上述のパルス数の算出論理で求めたパルス数で駆動しても良い。また、電源投入後の起動時、あるいはサスペンド状態などからのレジューム起動時（再起動時）においては、所定数のフレームについてはタッチ駆動を行わずにパルス数算出のための時間幅測定を行い、その後適宜のタイミングで上述のパルス数の算出論理で求められたパルス数で駆動しても良い。
【００７７】
なお、上述の形態では垂直同期信号ＴＳＶＤの測定に基づいて水平同期信号ＴＳＨＤの時間幅を求めたが、この例に限定されず、ディスプレイドライバＤＤＩから入力される任意の外部信号の測定に基づいて駆動同期信号を出力できる時間幅を求めることができる。
【００７８】
また、上述の形態では、タッチドライバＴＰＩＣに設けられた制御部４１がパルス数の制御を行ったが、この例に限定されず、制御部をタッチドライバＴＰＩＣの外部に設け、この制御部とタッチドライバＴＰＩＣとが情報の授受を行ってパルス数の制御を行うように構成しても良い。  
なお、パルス数の変更のみに限定されず、パルス数の制御に併せてパルス幅を変更する動作を実施することもできる。
【００７９】
なお、本発明は、実施の形態に記載のパネル構造に限定されない。  
実施の形態では、ＩＰＳ（Ｉｎ−Ｐｌａｎｅ  Ｓｗｉｔｃｈｉｎｇ）モード、ＦＦＳ（Ｆｒｉｎｇｅ−Ｆｉｅｌｄ  Ｓｗｉｔｃｈｉｎｇ）モードなどの横電界方式の液晶を使用したパネルを例としたが、この形態に限定されずＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モードなどの縦電界方式の液晶を使用したパネルについても適用することができる。
【００８０】
また、実施の形態では、タッチ検出機能付き表示装置として、いわゆるインセルタイプの表示装置を例としたが、表示装置の表示面上にタッチパネルを形成した、いわゆるオンセルタイプの表示装置についても適用することができる。
【００８１】
本発明の実施の形態として上述した表示装置を基にして、当業者が適宜設計変更して実施し得る全ての表示装置も、本発明の要旨を包含する限り、本発明の範囲に属する。
【００８２】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００８３】
また、本実施形態において述べた態様によりもたらされる他の作用効果について本明細書記載から明らかなもの、又は当業者において適宜想到し得るものについては、当然に本発明によりもたらされるものと解される。
【００８４】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８５】
ＤＳＰ…タッチ検出機能付き表示装置、ＰＮＬ…表示パネル、ＰＸ…表示画素、ＣＯＭＥ…共通電極、Ｖｃｏｍ…共通電圧、ＴＳＶＣＯＭ…駆動パルス、ＴＰＩＣ…タッチドライバ、ＤＤＩ…ディスプレイドライバ、ＤＥＴＥ…検知電極
【図１】
2016004280.tif 000003
【図２】
2016004280.tif 000004
【図３】
2016004280.tif 000005
【図４】
2016004280.tif 000006
【図５】
2016004280.tif 000007
【図６】
2016004280.tif 000008
【図７】
2016004280.tif 000009
【図８】
2016004280.tif 000010
【図９】
2016004280.tif 000011
【図１０】
2016004280.tif 000012
【図１１】
2016004280.tif 000013